(57)【要約】【課題】通信事業者が電話サービスをＰＳＴＮからＩＰ網へ移行させる際に、加入者が加入する回線種別やサービスによって、収容される加入者の一部がＩＰ網への移行を許容されない場合、その加入者がＩＰ網へ移行できるまで、その他の加入者も移行できないという課題がある。【解決手段】  加入者が加入するサービスの提供を維持し、加入者への負担を抑え、かつ通信事業者が効率的な移行ができるように、加入者単位もしくはサービス単位で段階的な移行を可能にするメディアゲートウェイを提供する。【選択図】  図１
2010130389.tif 000002
【特許請求の範囲】
【請求項１】
複数の端末と、前記端末と接続される管理装置と、前記管理装置と接続される公衆交換電話網とIP網とを備える通信システムであって、
前記管理装置は、
前記端末と情報を送受信する第1インターフェースと、
前記端末に関する識別情報と前記識別情報に対応する接続網情報とを記憶する記憶部と、
前記端末から受信する情報に基づいて、前記記憶部から、前記端末に関する識別情報に対応する接続網情報を読み出し、読み出した接続網情報に基づいて、前記公衆交換電話網と前記IP網とのいずれかを前記管理装置を介して前記端末に接続するよう設定する処理部とを有する通信システム。
【請求項２】
前記処理部の設定に基づいて前記端末との接続を制御するスイッチと、
前記公衆交換電話網と情報を送受信する第２のインターフェースと、
前記IP網と情報を送受信する第３のインターフェースとをさらに有することを特徴とする請求項１に記載の通信システム。
【請求項３】
前記記憶部は、さらに前記端末のダイヤル信号情報と前記ダイヤル信号に対応する接続網情報とを記憶し、
前記処理部は、前記端末から受信するダイヤル信号情報に基づいて、前記記憶部から、前記ダイヤル信号情報に対応する接続網情報を読み出し、読み出した接続網情報に基づいて、前記公衆交換電話網と前記IP網とのいずれかを前記管理装置を介して前記端末に接続するよう設定することを特徴とする請求項１に記載の通信システム。
【請求項４】
前記記憶部は、前記識別情報として前記端末に関するサービス加入者識別情報を記憶することを特徴とする請求項１に記載の通信システム。
【請求項５】
前記記憶部は、前記ダイヤル番号情報としてサービスを指定するためのダイヤル番号を記憶することを特徴とする請求項３に記載の通信システム。
【請求項６】
前記記憶部は前記接続網情報として、IP網及び公衆交換電話網の情報を記憶することを特徴とする請求項１に記載の通信システム。
【請求項７】
前記記憶部を書き換えるための第2インターフェースをさらに有することを特徴とする請求項１に記載の通信システム。
【請求項８】
前記記憶部は、さらに前記端末に関する識別情報と前記識別情報に対応する回線使用状況情報とを記憶し、
前記処理部は、前記端末から受信する情報に基づいて、前記記憶部から、前記端末に関する識別情報に対応する回線使用状況情報を読み出し、読み出した回線使用状況情報に未使用情報であるときに前記公衆交換電話網と前記IP網とのいずれかを前記管理装置を介して前記端末に接続するよう設定することを特徴とする請求項１に記載の通信システム。
【請求項９】
端末と情報を送受信する第1インターフェースと、
前記端末に関する識別情報と前記識別情報に対応する接続網情報とを記憶する記憶部と、
前記端末から受信する情報に基づいて、前記記憶部から、前記端末に関する識別情報に対応する接続網情報を読み出し、読み出した接続網情報に基づいて、公衆交換電話網とIP網とのいずれかを前記管理装置を介して前記端末に接続するよう設定する処理部とを有する管理装置。
【請求項１０】
前記処理部の設定に基づいて前記端末との接続を制御するスイッチと、
前記公衆交換電話網と情報を送受信する第２のインターフェースと、
前記IP網と情報を送受信する第３のインターフェースとをさらに有することを特徴とする請求項９に記載の管理装置。
【請求項１１】
前記記憶部は、さらに前記端末のダイヤル信号情報と前記ダイヤル信号に対応する接続網情報とを記憶し、
前記処理部は、前記端末から受信するダイヤル信号情報に基づいて、前記記憶部から、前記ダイヤル信号情報に対応する接続網情報を読み出し、読み出した接続網情報に基づいて、前記公衆交換電話網と前記IP網とのいずれかを前記管理装置を介して前記端末に接続するよう設定することを特徴とする請求項９に記載の管理装置。
【請求項１２】
前記記憶部を書き換えるための第2インターフェースをさらに有することを特徴とする請求項９に記載の管理装置。
【請求項１３】
前記記憶部は、さらに前記端末に関する識別情報と前記識別情報に対応する回線使用状況情報とを記憶し、
前記処理部は、前記端末から受信する情報に基づいて、前記記憶部から、前記端末に関する識別情報に対応する回線使用状況情報を読み出し、読み出した回線使用状況情報に未使用情報であるときに前記公衆交換電話網と前記IP網とのいずれかを前記管理装置を介して前記端末に接続するよう設定することを特徴とする請求項９に記載の管理装置。
【発明の詳細な説明】
【技術分野】
【０００１】
本発明は、電話サービスにおいて、従来の公衆交換回線網を使用している加入者、サービスをＩＰ網へ円滑に移行させる手段を提供するメディアゲートウェイに関する技術である。
【背景技術】
【０００２】
近年、採算性や網を構成する機器の老朽化を背景に、従来の公衆交換電話網（ＰＳＴＮ：Ｐｕｂｌｉｃ Ｓｗｉｔｃｈｅｄ Ｔｅｌｅｐｈｏｎｅ Ｎｅｔｗｏｒｋ）からＩＰ（Ｉｎｔｅｒｎｅｔ Ｐｒｏｔｏｃｏｌ）網への移行が検討されている。ＩＰ網を構成するルータやスイッチはＰＳＴＮを構成する交換機より安価であり、維持管理費も抑えられるというメリットがある。さらには、従来のＰＳＴＮでは実現できなかった、ＩＰならではのサービスも検討されている。
【０００３】
加入者をＩＰ網へ移行させる手段として、インターネット接続サービス用の端末制御装置に既存の電話機を接続し、端末制御装置で音声データをＩＰパケットに変換し、呼制御にはＳＩＰ（Ｓｅｓｓｉｏｎ Ｉｎｉｔｉａｔｉｏｎ Ｐｒｏｔｏｃｏｌ）などを用いてＩＰ網で電話サービスを実現させる方法がある。第一の手段としてＡＤＳＬ（Ａｓｙｍｍｅｔｒｉｃ Ｄｉｇｉｔａｌ Ｓｕｂｓｃｒｉｂｅｒ Ｌｉｎｅ）のＩＰ電話サービスがある。ＡＤＳＬではメタル回線に電話サービス用の音声データとインターネット接続サービス用のＩＰパケットを、加入者側のＡＤＳＬモデムで多重化させている。ここで、加入者宅内装置に音声データをＩＰパケットに変換させる機能を持たせることで、電話サービスをＰＳＴＮではなくＩＰ網で提供できる。第二の手段として、加入者と通信事業者間のメタル回線をＩＰ網に接続される光ファイバ回線に物理的に置き換える手段がある。前記第一の手段と同様に加入者宅内装置に音声データをＩＰパケットに変換する機能を持たせることで電話サービスとインターネット接続サービスの両方がＩＰ網で提供できる。
【０００４】
しかし、第一の手段、第二の手段は加入者がインターネット接続サービスに加入していることが前提であり、インターネット接続サービスに加入していない加入者にこの手段を適用する場合、新たに端末制御装置を加入者側へ設置する必要や、加入者と通信事業者間をメタル回線から光ファイバ回線への工事が必要となり、莫大な時間と費用がかかる。これらを解決する第三の手段として、メディアゲートウェイとよばれるＰＳＴＮとＩＰ網を中継する装置がある（例えば特許文献１）。
【０００５】
またＩＰ網へ移行することには、メリットがある一方で、ＰＳＴＮで提供されるサービスをＩＰ網で提供できないという課題がある。この課題に対して、前記第一の手段では、例えば特許文献２に記載される手段を用い、サービスがＩＰ網でできない場合は従来のＰＳＴＮを使用することで解決している。
【０００６】
【特許文献１】特願２００３−３２６３７３
【特許文献２】特願２００４−５１０２１４
【発明の開示】
【発明が解決しようとする課題】
【０００７】
電話サービスをＰＳＴＮからＩＰ網へ移行させる手段として前記第三の手段を用いる場合に、複数の加入者回線を収容する交換機をそのままメディアゲートウェイに置き換えるとすべての加入者がＩＰ網へ移行されることになる。このとき、加入者が加入する回線種別やサービスによって、収容される加入者の一部がＩＰ網への移行を許容されない場合、その加入者がＩＰ網へ移行できるまで、その他の加入者も移行させることができない。この問題を回避させるには、加入者単位ごとに交換機からメディアゲートウェイへ収容させていくことが考えられる。しかし、通信事業者の工事回数が増え、効率が悪い上にコストが抑えられない。また、例えば加入者がＰＳＴＮでＡ、Ｂという二つのサービスに加入しており、ＡはＩＰ網でも提供可能だがＢはＰＳＴＮでしか提供できないという場合、その加入者がＢのサービスを解約するかＢのサービスがＩＰ網でも提供できるようになるまで、この加入者をメディアゲートウェイに収容できない。
【０００８】
そこで、メディアゲートウェイについては、電話サービスをＰＳＴＮからＩＰ網へ移行させる際に、加入者が加入するサービスの提供を維持し、加入者への負担を抑え、かつ通信事業者が効率的な移行ができることが課題である。
【課題を解決するための手段】
【０００９】
ＩＰ網接続インターフェースとＰＳＴＮ接続インターフェースを具備する管理装置であるメディアゲートウェイに、加入者、すなわち加入者が使用する端末を収容する。メディアゲートウェイは収容する加入者から発呼信号を受信すると、保守者によって加入者単位で予め設定された網にその加入者回線を接続設定することで、保守者はユーザ単位で自由に接続させる網を選択することができる。
【００１０】
また、加入者がダイヤル番号によって特定のサービスを指定した場合、保守者によってダイヤル番号単位で予め設定された網にその加入者回線を接続設定することで、保守者はサービス単位で接続する網を選択することができる。
【００１１】
メディアゲートウェイがＰＳＴＮに接続する場合ＰＳＴＮ間の呼制御を、ＩＰ網に接続する場合ＩＰ網間の呼制御を行うことでパス接続処理ができる。
【００１２】
メディアゲートウェイに収容する加入者宛の着呼があった場合には、加入者回線の網接続状況を確認し、未接続であれば接続要求があった網にその加入者回線を接続設定することでＩＰ網、ＰＳＴＮのどちらから着呼があった場合でも、パス接続処理ができる。加入者がＩＰ網接続中にＰＳＴＮから着呼があった場合には、ＰＳＴＮ側に通話中通知をすることで発呼元加入者に通話中であることを通知することができる。同様に、加入者がＰＳＴＮ接続中にＩＰ網からＩＮＶＩＴＥを受信した場合には、ＩＰ網側にＢｕｓｙをかえすことで発呼元加入者に通話中であることを通知できる。さらに、加入者がコールウェイティングサービスに加入している場合、加入者に通話中着信表示音を送信することで加入者に通話中の相手以外の加入者から着信があることを通知できる。加入者のオフフックを契機に、接続網を切り替え、通話中だった網に保留通知することで網をまたぐコールウェイティングサービスを実現できる。
【００１３】
また、メディアゲートウェイは例えば複数の加入者インターフェース、スイッチ、ＴＤＭ−ＩＰ変換部、ＩＰ網インターフェース、ＰＳＴＮインターフェースと、加入者インターフェース制御部、ＰＳＴＮインターフェース制御部を介して加入者、ＰＳＴＮとの接続処理を行い、ＩＰ網との接続処理と、スイッチを設定するプロセッサを具備する。メモリに格納するテーブルとしては、加入者識別情報とそれに対応した接続網のテーブル、ダイヤル番号とそれに対応した接続網のテーブル、加入者の回線接続状況を示すテーブルを具備する。
本発明による通信システム、管理装置は一例として、管理装置について端末と情報を送受信する第1インターフェースと、端末に関する識別情報と識別情報に対応する接続網情報とを記憶する記憶部と、端末から受信する情報に基づいて、記憶部から、端末に関する識別情報に対応する接続網情報を読み出し、読み出した接続網情報に基づいて、公衆交換電話網とIP網とのいずれかを管理装置を介して端末に接続するよう設定する処理部とを有する。
【発明の効果】
【００１４】
通信事業者は、加入者を収容する交換機を本発明のメディアゲートウェイに置き換えることで、加入者への負担を抑えてＩＰ網へ移行できる。加入者単位で段階的に移行させることで、ＰＳＴＮに接続する加入者数に応じて、計画的に中継用交換機を集約していくことが可能になる。またサービス単位で段階的に移行させることで、既存のサービスを全て同時にＩＰ網で提供する必要がなくなり優先度をつけてサービスの移行をすすめることが可能になる。さらに、両方でサービスを提供する移行期間をもうけることで、移行により問題が発生した場合にＰＳＴＮへサービスを切戻し、移行によるサービス中断などのリスクにも対応できる。
【発明を実施するための最良の形態】
【００１５】
以下、本発明の実施形態を説明する。以下の例では、メディアゲートウェイに収容する加入者回線がアナログ回線の場合で説明するが、ＩＳＤＮ回線の場合でも同様に実施することは可能である。また、ＩＰ網の呼制御にＳＩＰを用いた場合を説明するが、その他のＩＰ用呼制御プロトコルでも同様に実施することは可能である。
【００１６】
図１に本発明を適用するネットワーク構成例を示す。加入者端末１、２、３（１、２、３）、加入者端末４、５、６（４，５，６）はメディアゲートウェイ１、２（管理装置とも呼ぶ、１０、１１）に、加入者端末７、８、９（７、８、９）は従来の加入者交換機（２０）にそれぞれ収容される。メディアゲートウェイ１、２はＩＰ網（１００）、ＰＳＴＮ（２００）に接続され、交換機（２０）はＰＳＴＮ（２００）に接続される。ＩＰ網（１００）には、ＳＩＰ使用時に発呼側と着呼側の接続をとりもつＳＩＰサーバ（３０）が接続される。ＩＰ網（１００）に接続される加入者と、ＰＳＴＮ（２００）に接続される加入者間の通信はゲートウェイ（４０）を介して実施される。
【００１７】
図２に本発明のメディアゲートウェイ１、２（１０、１１）の構成例を示す。ＳＷ（１０−２）は上り方向は、複数の加入者回線インターフェース（ＩＦ）（１０−１）を集約し、プロセッサ（処理部とも呼ぶ、１０−５）が設定した通りにＴＤＭ−ＩＰ変換部（１０−３）、ＰＳＴＮ−インターフェース（ＩＦ）（１０−１１）へ振り分ける。下り方向はＴＤＭ−ＩＰ変換部（１０−３）もしくはＰＳＴＮ−ＩＦ（１０−１１）からの信号をプロセッサに設定されたとおりに、加入者回線ＩＦ（１０−１）へ振り分ける。ＩＰ−インターフェース（ＩＦ）２（１０−６）は、プロセッサ（１０−５）がＳＩＰサーバ（３０）と呼制御情報を送受信するインターフェースであり、ＩＰ−インターフェース（ＩＦ）１（１０−４）は接続処理完了後にユーザデータを送受信するためのインターフェースである。プロセッサ（１０−５）には、各種テーブルを格納、参照するためのメモリ（記憶部とも呼ぶ、１０−８）と、保守者がテーブルを書き換え、参照するための保守インターフェース（ＩＦ）（１０−７）が接続される。加入者ＩＦ制御部（１０−９）は、加入者からの信号を監視し、信号を受信したことをプロセッサ（１０−５）に通知し、またプロセッサ（１０−５）の指示に従い加入者へ信号を送信する。ＰＳＴＮ−ＩＦ制御部（１０−１０）はＰＳＴＮ（２００）からの信号を監視し、信号を受信したことをプロセッサ（１０−５）へ通知し、またプロセッサ（１０−５）の指示に従い、ＰＳＴＮ（２００）へ信号を送信する。
【００１８】
図３に加入者テーブル（５０）の構成例を示す。加入者テーブル（５０）は、加入者識別情報（５０−１）と接続網情報（５０−２）から構成される。加入者識別情報（５０−１）は、例えば電話番号や、メディアゲートウェイ１、２（１０、１１）に収容されるインターフェース、タイムスロットなどの位置情報、加入するサービスなど、加入者を識別するための情報である。接続網情報（５０−２）は、通信事業者が各加入者をＩＰ網（１００）へ接続させるか、ＰＳＴＮ（２００）へ接続させるかを保守ＩＦ（１０−７）を介して設定する。
【００１９】
図４にサービステーブル（６０）の構成例を示す。サービステーブル（６０）は、ダイヤル番号情報（６０−１）と接続網情報（６０−２）で構成される。ダイヤル番号情報（６０−１）は加入者が特定サービスを指定する場合のダイヤル番号である。接続網情報（６０−２）は、通信事業者が各サービスをＩＰ網（１００）へ接続させるか、ＰＳＴＮ（２００）へ接続させるかを保守ＩＦ（１０−７）を介して設定する。ダイヤル番号がサービステーブル（６０）に該当しない場合、ダイヤル番号（６０−１）欄の非該当に対応する網へ接続させる。
図９に回線使用状況テーブル（７０）を示す。回線使用状況テーブル（７０）は加入者識別情報（７０−１）と回線使用状況情報（７０−２）から構成される。加入者識別情報（７０−１）は、加入者テーブルと同様に加入者を識別するための情報である。使用状況情報（７０−２）はプロセッサ（１０−５）がＳＷ（１０−２）に接続先を設定する際に更新し、接続切断を契機に未使用と更新する。
【００２０】
図５に加入者端末（１〜１）からの発呼信号を受信したときのメディアゲートウェイ１、２（１０、１１）の動作フローを示す。加入者端末（１〜６）から発呼信号を受信すると（３００）、加入者テーブル（５０）を参照し発呼信号を送信した加入者端末（１〜６）の加入者識別情報（５０−１）に対応する接続網情報（５０−２）が「ＩＰ網／ＰＳＴＮ」、「ＰＳＴＮ」のどちらが設定されているかを確認する（３０２）。接続網情報（５０−２）が「ＰＳＴＮ」となっている場合はＰＳＴＮ接続設定を行う（３０３）。接続網情報（５０−２）が「ＩＰ網／ＰＳＴＮ」となっている場合は加入者端末（１〜６）からのダイヤルを待ち、ダイヤルを受信する（３０４）とサービステーブル（６０）を参照し（３０５）、ダイヤル番号（６０−１）に対応する接続網情報（６０−２）が「ＩＰ網」、「ＰＳＴＮ」のどちらが設定さているかを確認する（３０６）。接続網情報（６０−２）が「ＰＳＴＮ」となっている場合はＰＳＴＮ接続設定を行う（３０３）。接続網情報（６０−２）が「ＩＰ網」となっている場合はＩＰ網接続設定を行う（３０７）。
【００２１】
図１０に収容する加入者端末（１〜６）宛に着呼があった場合のメディアゲートウェイ１、２（１０、１１）の動作フローを示す。ＰＳＴＮ（２００）から接続要求を受信すると（４００）、回線使用状況テーブル（７０）を参照し、接続要求があった加入者端末（１〜６）の加入者識別情報（７０−１）に対応する回線使用状況情報（７０−２）から該当の加入者端末（１〜６）がすでに接続中かどうかを確認する（４０２）。「未使用」となっている場合、回線使用状況テーブル（７０）の回線使用状況情報（７０−２）を「ＰＳＴＮ接続中」に更新し（４０３）、ＰＳＴＮ接続設定を行う（４０４）。回線使用状況情報（７０−２）が「ＩＰ網接続中」だった場合、加入者情報を参照し（４０５）、該当の加入者端末（１〜６）がコールウェイティングサービスに加入しているかどうかを確認する（４０６）。加入していない場合、ＰＳＴＮ（２００）に話中通知を送信する（４０７）。加入している場合には、該当の加入者端末（１〜６）のフッキングを監視し（４０８）、フッキング受信を契機に回線使用状況テーブル（７０）の回線使用状況情報（７０−２）を「ＩＰ網／ＰＳＴＮ接続中」と更新し、接続網をＩＰ網（１００）からＰＳＴＮ（２００）へ切り替える（４１０）。同様に、ＩＰ網（１００）からＩＶＩＴＥを受信すると（４００）、回線使用状況テーブル（７０）を参照し、回線使用状況情報（７０−２）から接続中かどうかを
確認（４０２）する。「未使用」となっていた場合、回線使用状況テーブル（７０）の回線使用状況情報（７０−２）を「ＩＰ網接続中」に更新し（４０３）、ＩＰ網接続設定を行う（４０４）。回線使用状況情報（７０−２）が「ＰＳＴＮ接続中」だった場合、加入者情報を参照し（４０５）、該当の加入者端末（１〜６）がコールウェイティングサービスに加入しているかどうかを確認する（４０６）。加入していない場合、ＩＰ網（１００）にＢｕｓｙを送信する（４０７）。加入している場合には、該当の加入者端末（１〜６）のフッキングを監視し（４０８）、フッキング受信を契機に回線使用状況テーブル（７０）の回線使用状況情報（７０−２）を「ＩＰ網／ＰＳＴＮ接続中」と更新し、接続網をＰＳＴＮ（２００）からＩＰ網（１００）へ切り替える（４１０）。
【００２２】
まず、メディアゲートウェイに収容される加入者から発呼する場合について説明する。なお、説明を容易にするために、メディアゲートウェイに収容される加入者宛に着呼があった場合の詳細は後述する。
【００２３】
図１に示すネットワーク構成において、メディアゲートウェイ１（１０）に収容され加入者識別情報（５０−１）がＢである加入者２（２）と、交換機（２０）に収容される加入者７（７）との通話までの流れを、図６の動作シーケンスを用いて説明する。加入者２（２）から発呼信号（５００）を送信すると、メディアゲートウェイ１（１０）では加入者回線ＩＦ（１０−１）を介してＳＷ（１０−２）で受信する（３００）。ＳＷ（１０−２）は発呼信号を加入者ＩＦ制御部（１０−９）へ転送し、加入者ＩＦ制御部（１０−９）はプロセッサ（１０−５）に対して加入者識別情報がＢの発呼信号を受信したことを通知する。発呼信号を受信したプロセッサ（１０−５）は、加入者テーブル（５０）を参照し（３０１）、加入者識別情報（５０−１）がＢのときに対応する接続網情報（５０−２）を読み出して、接続網がＰＳＴＮ（２００）であると認識する（３０２）。プロセッサ（１０−５）はＳＷ（１０−２）に対して、加入者識別情報がＢである加入者回線をＰＳＴＮ−ＩＦ（１０−１１）と接続するように設定する（３０３）。一方、加入者ＩＦ制御部（１０−９）は発呼信号受信と同時にＳＷ（１０−２）を介して、加入者２（２）に対して発信音を送信する（５０１）。加入者２（２）がダイヤルする（５０２）と、ＳＷ（１０−２）はダイヤル信号をプロセッサ（１０−５）へ転送し、プロセッサ（１０−５）はＰＳＴＮ（２００）内の予め決められた中継用交換機に対してＰＳＴＮ−ＩＦ制御部（１０−１０）、ＰＳＴＮ−ＩＦ（１０−１１）を介して、接続要求を送信する（５０３）。接続要求（５０３）はＰＳＴＮ（２００）を介して交換機（２０）へ送信され、加入者７（７）を収容する交換機（２０）は接続要求（５０３）に対して接続応答（５０４）をかえし、加入者７（７）に対して呼出信号を送信する（５０６）。交換機（２０）は接続処理が完了すると加入者２（２）に呼出音を送信する（５０５）。加入者７（７）が呼出信号（５０６）に対して応答信号を送信する（５０７）と交換機（２０）はメディアゲートウェイ１（１０）に応答信号（５０８）を送信し、メディアゲートウェイ１（１０）では、ＰＳＴＮ−ＩＦ制御部がプロセッサ（１０−５）に応答信号受信（５０８）を通知し、プロセッサ（１０−５）が加入者ＩＦ制御部（１０−９）を介して、加入者２（２）に対して応答信号を送信する（５０９）。以上で、加入者２（２）と加入者７（７）が通話中となる（５１０）。
【００２４】
次に、図１に示すネットワーク構成において、メディアゲートウェイ１（１０）に収容され加入者識別情報（５０−１）がＡである加入者１（１）が、ダイヤル番号aのサービスを用いてメディアゲートウェイ２（１１）に収容される加入者４（４）との通話をするまでの流れを、図７の動作シーケンスを用いて説明する。図６のシーケンスのときと同様に、加入者１（１）から発呼信号（６００）を送信すると、発呼信号を受信（３００）したメディアゲートウェイ１（１０）では、プロセッサ（１０−５）が加入者テーブル（５０）を参照し（３０１）、加入者識別情報（５０−１）がＡに対応する接続網情報（５０−２）を読み出して、接続網がＩＰ網（１００）もしくはＰＳＴＮ（２００）であると認識する（３０２）。加入者ＩＦ制御部（１０−９）は、発呼信号受信と同時に加入者１（１）に対して発信音を送信する（６０１）。加入者１（１）がダイヤルする（６０２）と、ダイヤル信号を受信した（３０４）プロセッサ（１０−５）はサービステーブル（６０）を参照し（３０５）、ダイヤル番号（６０−１）aが対応する接続網情報（６０−２）を読み出して、接続網がＩＰ網（１００）であると判断し（３０６）、ＳＷ（１０−２）に対して加入者識別情報（５０−１）がＡである加入者回線をＴＤＭ−ＩＰ変換部（１０−３）に接続されるように設定する（３０７）。プロセッサ（１０−５）はＩＰ−ＩＦ２（１０−６）を介して、ＳＩＰサーバ（３０）にＩＮＶＩＴＥを送信し（６０３）、ＳＩＰサーバ（３０）は加入者４（４）が収容されるメディアゲートウェイ２（１１）に対してＩＮＶＩＴＥを転送する（６０４）。ＩＮＶＩＴＥを受信したメディアゲートウェイ２（１１）は、応答である１８０ＲｉｎｇｉｎｇをＳＩＰサーバ（３０）へ送信し（６０５）、加入者４（４）に対して呼出信号を送信する（６０６）。ＳＩＰサーバ（３０）は１８０Ｒｉｎｇｉｎｇをメディアゲートウェイ１（１０）に転送し（６０７）、それを受信したメディアゲートウェイ１（１０）は加入者１（１）に対して呼出音を送信する（６０８）。加入者４（４）が応答信号を送信する（６０９）と、メディアゲートウェイ２（１１）はＳＩＰサーバ（３０）に２００ＯＫを送信（６１０）、ＳＩＰサーバ（３０）がメディアゲートウェイ１（１０）に２００ＯＫを転送する（６１１）。メディアゲートウェイ１（１０）は２００ＯＫを受信すると加入者１（１）に対して応答信号を送信し（６１２）、ＳＩＰサーバ（３０）にＡＣＫをかえし（６１３）、ＳＩＰサーバ（３０）がＡＣＫをメディアゲートウェイ２（１１）に転送する（６１４）。以上で、加入者１（１）と加入者４（４）が通話中となる（６１５）。
【００２５】
次に、図１に示すネットワーク構成において、メディアゲートウェイ１（１０）に収容され加入者識別情報（５０−１）がＡである加入者１（１）が、ダイヤル番号ｂのサービスを用いて交換機（２０）に収容される加入者８（８）との通話するまでの流れを、図８の動作シーケンスを用いて説明する。加入者１（１）の発呼信号（７００）からプロセッサ（１０−５）がサービステーブル（６０）を参照する（３０５）までは上記と同じである。プロセッサ（１０−５）は、ダイヤル番号（６０−１）ｂが対応する接続網情報（６０−２）はＰＳＴＮ（２００）であると判断し（３０６）ＰＳＴＮ接続設定（３０３）する。以降、上記と同様に接続要求（７０３）から加入者１（１）へ応答信号を送信する（７０９）することで、加入者１（１）と加入者８（８）が通話中となる。
【００２６】
続いて、メディアゲートウェイに収容される加入者宛に着呼があった場合について、説明する。
【００２７】
図１に示すネットワーク構成において、メディアゲートウェイ１（１０）に収容され加入者識別情報（７０−１）がＡである加入者１（１）が通話中ではない場合に、メディアゲートウェイ１（１０）に交換機（２０）に収容された加入者７（７）から着呼があった場合の流れを、図１１を用いて説明する。加入者７（７）が発呼信号を送信する（８００）と、交換機（２０）は加入者７（７）に対して発信音を送信する（８０１）。加入者７（７）が加入者１（１）宛にダイヤルをする（８０２）と、交換機（２０）は加入者１（１）が収容されるメディアゲートウェイ１（１０）に接続要求をする（８０３）。メディアゲートウェイ１（１０）では、接続要求を受信すると（４００）ＰＳＴＮ−ＩＦ制御部（１０−１０）がプロセッサ（１０−５）に加入者識別情報（７０−１）Ａ宛の接続要求があったことを通知する。プロセッサ（１０−５）は回線使用状況テーブル（７０）を参照し（４０１）、加入者識別情報（７０−１）Ａの加入者１（１）の回線使用状況情報（７０−２）を回線使用状況テーブル（７０）で確認する（４０２）。未使用であった場合、回線使用状況（７０−２）をＰＳＴＮ接続中と更新し（４０３）、プロセッサ（１０−５）はＳＷ（１０−２）に対して、加入者識別情報（７０−１）Ａの加入者回線をＰＳＴＮ−ＩＦ（１０−１０）へ接続されるように設定する（４０４）。プロセッサ（１０−５）はＰＳＴＮ−ＩＦ制御部（１０−１０）を介して、交換機（２０）に対して接続応答をかえし（８０４）、加入者ＩＦ制御部（１０−９）を介して、加入者１（１）に対して呼出信号を送信する（８０５）。プロセッサ（１０−５）は接続処理が完了するとＰＳＴＮ−ＩＦ制御部（１０−１０）を介して、加入者７（７）に呼出音を送信する（８０６）。加入者１（１）が応答信号を送信すると（８０７）、加入者ＩＦ制御部（１０−９）が、加入者１（１）から応答信号を受信したことをプロセッサ（１０−５）に通知し、プロセッサはＰＳＴＮ−ＩＦ制御部（１０−１０）を介して、交換機（２０）に応答信号を送信する（８０８）。応答信号を受信した（８０８）交換機（２０）は、加入者７（７）に対して、応答信号を送信する。以上で、加入者７（７）と加入者１（１）が通話中となる（８１０）。
【００２８】
次に、図１に示すネットワーク構成において、メディアゲートウェイ１（１０）に収容され、加入者識別情報（７０−１）がＢで、コールウェイティングサービスに加入していない加入者２（２）が、ＩＰ網（１００）を介してメディアゲートウェイ２（１１）に収容される加入者４（４）と通話中に、メディアゲートウェイ１（１０）に交換機（２０）に収容された加入者７（７）から着呼があった場合の流れを、図１２を用いて説明する。加入者２（２）と加入者４（４）が通話中（９００）に、加入者７（７）から交換機（２０）に発呼信号が送信される（９０１）と、交換機（２０）は加入者７（７）に対して発信音を送信する（９０２）。加入者７（７）が加入者２（２）宛にダイヤルをする（９０３）と、交換機（２０）は加入者２（２）が収容されるメディアゲートウェイ１（１０）宛に接続要求を送信する（９０４）。メディアゲートウェイ１（１０）では、前記実施例と同様にプロセッサ（１０−５）が回線使用状況テーブル（７０）を参照し（４０１）、加入者識別情報（７０−１）Ｂの回線使用状況情報（７０−２）を回線使用状況テーブル（７０）で確認する（４０２）。ＩＰ網に接続している場合、加入者識別情報（７０−１）を参照し（４０５）、加入者２（２）がコールウェイティングサービスに加入しているかを確認し（４０６）、加入していない場合はプロセッサ（１０−５）がＰＳＴＮ−ＩＦ制御部（１０−１０）を介して、交換機（２０）に通話中通知を送信する（４０７、９０５）。通知を受信した交換機（２０）は加入者７（７）に話中音を送信する（９０６）。以上で、加入者７（７）は加入者２（２）が通話中であることを認識できる。
【００２９】
次に、図１に示すネットワーク構成において、メディアゲートウェイ１（１０）に収容され、加入者識別情報（７０−１）がＣで、コールウェイティングサービスに加入している加入者３（３）が、ＩＰ網（１００）を介してメディアゲートウェイ２（１１）に収容される加入者４（４）と通話中に、メディアゲートウェイ１（１０）に交換機（２０）に収容された加入者７（７）から着呼があった場合の流れを、図１３を用いて説明する。加入者３（３）と加入者４（４）が通話中（１０００）に、加入者７（７）から交換機（２０）に発呼信号が送信される（１００１）と、交換機（２０）は加入者７（７）に対して発信音を送信する（１００２）。加入者７（７）が加入者２（２）宛にダイヤルをする（１００３）と、交換機（２０）は加入者２（２）が収容されるメディアゲートウェイ１（１０）宛に接続要求を送信する（１００４）。メディアゲートウェイ１（１０）では、上記と同様にプロセッサ（１０−５）が回線使用状況テーブルを参照し（４０１）、加入者識別情報（７０−１）Ｃの回線使用状況（７０−２）を回線使用状況テーブル（７０）で確認する（４０２）。ＩＰ網（１００）に接続している場合、加入者識別情報（７０−１）を参照し（４０５）、加入者３がコールウェイティングサービスに加入しているかを確認する（４０６）。加入している場合プロセッサ（１０−５）はＰＳＴＮ−ＩＦ制御部（１０−１０）を介して交換機（２０）に接続応答を送信し（１００５）、加入者ＩＦ制御部（１０−９）を介して加入者３（３）に通話中着信表示を送信する（１００６）。接続処理が完了するとプロセッサ（１０−５）はＰＳＴＮ−ＩＦ制御部（１０−１０）を介して加入者７（７）に呼出音を送信し（１００７）、加入者３（３）からのフッキングを加入者ＩＦ制御部（１０−９）が監視する（４０８）。加入者３（３）がフッキングする（１００８）と加入者ＩＦ制御部（１０−９）はプロセッサ（１０−５）に対して、フッキングを受信したことを通知する。通知を受けたプロセッサ（１０−５）は回線使用状況テーブル（７０）の回線使用状況（７０−２）をＩＰ網／ＰＳＴＮ接続中に更新し（４０９）、加入者３（３）の回線がＰＳＴＮ−ＩＦ（１０−１１）に接続されるようにＳＷ（１０−２）を設定する（４１０）。次にプロセッサ（１０−５）はＰＳＴＮ−ＩＦ制御部（１０−１０）を介して、交換機（２０）に応答信号を送信し（１００９）、ＩＰ−ＩＦ２（１０−６）を介して保留通知をＳＩＰサーバ（３０）に送信する（１０１１）。ＳＩＰサーバ（３０）は保留通知をメディアゲートウェイ２（１１）に転送し（１０１２）、メディアゲートウェイ２では保留通知をＩＰ−ＩＦ２（１０−６）を介してプロセッサ（１０−５）が受信すると、プロセッサ（１０−５）は加入者ＩＦ制御部（１０−９）を介して加入者７（７）に保留音を送信する（１０１３）。交換機（２０）は応答信号を受信すると加入者７（７）に応答信号を送信する（１０１０）。以上で、加入者３（３）と加入者４（４）間の通話は保留状態になり、加入者３（３）と加入者７（７）が通話中となる。
【００３０】
以上に説明したように、メディアゲートウェイに収容される加入者から、ＰＳＴＮに接続される交換機に収容された加入者へ発呼する場合、ＩＰ網を介してＩＰ網とＰＳＴＮを接続するゲートウェイを利用することで実現できるサービスについては、通信事業者が加入者テーブルの接続網をＩＰ網／ＰＳＴＮとし、サービステーブルの接続網をＩＰ網とすることで実現できる。逆に、ＩＰ網にのみ接続される加入者へ発呼する場合は、ＰＳＴＮを一旦通らなければいけないサービスでかつ同ゲートウェイを利用することで実現できるサービスは、通信事業者が加入者テーブルの接続網をＩＰ網／ＰＳＴＮとし、サービステーブルの接続網をＰＳＴＮとすることで実現できる。
【００３１】
また、メディアゲートウェイに収容される加入者が、ＰＳＴＮを介して通話中に、ＩＰ網を介して同加入者宛にＩＮＶＩＴＥを受信した場合には、上記と同様に加入者がコールウェイティングサービス未加入時には、話中通知のかわりにＢｕｓｙをＳＩＰサーバへかえすことで、同様にサービスが実現できる。
【図面の簡単な説明】
【００３２】
【図１】本発明を適用するネットワーク構成例。
【図２】本発明のメディアゲートウェイの構成例。
【図３】加入者テーブルの一例。
【図４】サービステーブルの一例。
【図５】収容する加入者から発呼信号を受信した場合のメディアゲートウェイの動作フロー。
【図６】図１において、加入者２から加入者７へ通話する場合の動作シーケンス。
【図７】図１において、加入者１から加入者４へ、サービスａを用いて通話する場合の動作シーケンス。
【図８】図１において、加入者３から加入者８へ、サービスｂを用いて通話する場合の動作シーケンス。
【図９】回線使用状況テーブルの一例。
【図１０】収容する加入者宛の接続要求／ＩＮＶＩＴＥを受信した場合のメディアゲートウェイの動作フロー。
【図１１】図１において、加入者７から加入者１へ通話する場合の動作シーケンス。
【図１２】図１において、コールウェイティングサービスに加入していない加入者２が加入者４と通話中であるとき、加入者７から着呼信号を受信した場合の動作シーケンス。
【図１３】図１において、コールウェイティングサービスに加入する加入者３が加入者４と通話中であるとき、加入者７から着呼信号を受信した場合の動作シーケンス。
【符号の説明】
【００３３】
１〜９：加入者１〜加入者７
１０、１１：本発明のメディアゲートウェイ
２０：加入者交換機
３０：ＳＩＰサーバ
４０：ゲートウェイ
５０：加入者テーブル
６０：サービステーブル
７０：回線使用状況テーブル
１００：ＩＰ網
２００：ＰＳＴＮ
【図１】
2010130389.tif 000003
【図２】
2010130389.tif 000004
【図３】
2010130389.tif 000005
【図４】
2010130389.tif 000006
【図５】
2010130389.tif 000007
【図６】
2010130389.tif 000008
【図７】
2010130389.tif 000009
【図８】
2010130389.tif 000010
【図９】
2010130389.tif 000011
【図１０】
2010130389.tif 000012
【図１１】
2010130389.tif 000013
【図１２】
2010130389.tif 000014
【図１３】
2010130389.tif 000015
【手続補正書】
【提出日】平成21年10月14日(2009.10.14)
【手続補正１】
【補正対象書類名】明細書
【補正対象項目名】０００６
【補正方法】変更
【補正の内容】
【０００６】
【特許文献１】特開2005-094480
【特許文献２】国際公開パンフレット03/103259号
【手続補正２】
【補正対象書類名】明細書
【補正対象項目名】００２０
【補正方法】変更
【補正の内容】
【００２０】
図５に加入者端末（１〜６）からの発呼信号を受信したときのメディアゲートウェイ１
、２（１０、１１）の動作フローを示す。加入者端末（１〜６）から発呼信号を受信する
と（３００）、加入者テーブル（５０）を参照し発呼信号を送信した加入者端末（１〜６
）の加入者識別情報（５０−１）に対応する接続網情報（５０−２）が「ＩＰ網／ＰＳＴ
Ｎ」、「ＰＳＴＮ」のどちらが設定されているかを確認する（３０２）。接続網情報（５
０−２）が「ＰＳＴＮ」となっている場合はＰＳＴＮ接続設定を行う（３０３）。接続網
情報（５０−２）が「ＩＰ網／ＰＳＴＮ」となっている場合は加入者端末（１〜６）から
のダイヤルを待ち、ダイヤルを受信する（３０４）とサービステーブル（６０）を参照し
（３０５）、ダイヤル番号（６０−１）に対応する接続網情報（６０−２）が「ＩＰ網」
、「ＰＳＴＮ」のどちらが設定さているかを確認する（３０６）。接続網情報（６０−２
）が「ＰＳＴＮ」となっている場合はＰＳＴＮ接続設定を行う（３０３）。接続網情報（
６０−２）が「ＩＰ網」となっている場合はＩＰ網接続設定を行う（３０７）。
【手続補正３】
【補正対象書類名】明細書
【補正対象項目名】００２７
【補正方法】変更
【補正の内容】
【００２７】
図１に示すネットワーク構成において、メディアゲートウェイ１（１０）に収容され加
入者識別情報（７０−１）がＡである加入者１（１）が通話中ではない場合に、メディア
ゲートウェイ１（１０）に交換機（２０）に収容された加入者７（７）から着呼があった
場合の流れを、図１１を用いて説明する。加入者７（７）が発呼信号を送信する（８００
）と、交換機（２０）は加入者７（７）に対して発信音を送信する（８０１）。加入者７
（７）が加入者１（１）宛にダイヤルをする（８０２）と、交換機（２０）は加入者１（
１）が収容されるメディアゲートウェイ１（１０）に接続要求をする（８０３）。メディ
アゲートウェイ１（１０）では、接続要求を受信すると（４００）ＰＳＴＮ−ＩＦ制御部
（１０−１０）がプロセッサ（１０−５）に加入者識別情報（７０−１）Ａ宛の接続要求
があったことを通知する。プロセッサ（１０−５）は回線使用状況テーブル（７０）を参
照し（４０１）、加入者識別情報（７０−１）Ａの加入者１（１）の回線使用状況情報（
７０−２）を回線使用状況テーブル（７０）で確認する（４０２）。未使用であった場合
、回線使用状況（７０−２）をＰＳＴＮ接続中と更新し（４０３）、プロセッサ（１０−
５）はＳＷ（１０−２）に対して、加入者識別情報（７０−１）Ａの加入者回線をＰＳＴ
Ｎ−ＩＦ（１０−１１）へ接続されるように設定する（４０４）。プロセッサ（１０−５
）はＰＳＴＮ−ＩＦ制御部（１０−１０）を介して、交換機（２０）に対して接続応答を
かえし（８０４）、加入者ＩＦ制御部（１０−９）を介して、加入者１（１）に対して呼
出信号を送信する（８０５）。プロセッサ（１０−５）は接続処理が完了するとＰＳＴＮ
−ＩＦ制御部（１０−１０）を介して、加入者７（７）に呼出音を送信する（８０６）。
加入者１（１）が応答信号を送信すると（８０７）、加入者ＩＦ制御部（１０−９）が、
加入者１（１）から応答信号を受信したことをプロセッサ（１０−５）に通知し、プロセ
ッサはＰＳＴＮ−ＩＦ制御部（１０−１０）を介して、交換機（２０）に応答信号を送信
する（８０８）。応答信号を受信した（８０８）交換機（２０）は、加入者７（７）に対
して、応答信号を送信する。以上で、加入者７（７）と加入者１（１）が通話中となる（
８１０）。
【手続補正４】
【補正対象書類名】明細書
【補正対象項目名】００２９
【補正方法】変更
【補正の内容】
【００２９】
次に、図１に示すネットワーク構成において、メディアゲートウェイ１（１０）に収容
され、加入者識別情報（７０−１）がＣで、コールウェイティングサービスに加入してい
る加入者３（３）が、ＩＰ網（１００）を介してメディアゲートウェイ２（１１）に収容
される加入者４（４）と通話中に、メディアゲートウェイ１（１０）に交換機（２０）に
収容された加入者７（７）から着呼があった場合の流れを、図１３を用いて説明する。加
入者３（３）と加入者４（４）が通話中（１０００）に、加入者７（７）から交換機（２
０）に発呼信号が送信される（１００１）と、交換機（２０）は加入者７（７）に対して
発信音を送信する（１００２）。加入者７（７）が加入者２（２）宛にダイヤルをする（
１００３）と、交換機（２０）は加入者２（２）が収容されるメディアゲートウェイ１（
１０）宛に接続要求を送信する（１００４）。メディアゲートウェイ１（１０）では、上
記と同様にプロセッサ（１０−５）が回線使用状況テーブルを参照し（４０１）、加入者
識別情報（７０−１）Ｃの回線使用状況（７０−２）を回線使用状況テーブル（７０）で
確認する（４０２）。ＩＰ網（１００）に接続している場合、加入者識別情報（７０−１
）を参照し（４０５）、加入者３がコールウェイティングサービスに加入しているかを確
認する（４０６）。加入している場合プロセッサ（１０−５）はＰＳＴＮ−ＩＦ制御部（
１０−１０）を介して交換機（２０）に接続応答を送信し（１００５）、加入者ＩＦ制御
部（１０−９）を介して加入者３（３）に通話中着信表示を送信する（１００６）。接続
処理が完了するとプロセッサ（１０−５）はＰＳＴＮ−ＩＦ制御部（１０−１０）を介し
て加入者７（７）に呼出音を送信し（１００７）、加入者３（３）からのフッキングを加
入者ＩＦ制御部（１０−９）が監視する（４０８）。加入者３（３）がフッキングする（
１００８）と加入者ＩＦ制御部（１０−９）はプロセッサ（１０−５）に対して、フッキ
ングを受信したことを通知する。通知を受けたプロセッサ（１０−５）は回線使用状況テ
ーブル（７０）の回線使用状況（７０−２）をＩＰ網／ＰＳＴＮ接続中に更新し（４０９
）、加入者３（３）の回線がＰＳＴＮ−ＩＦ（１０−１１）に接続されるようにＳＷ（１
０−２）を設定する（４１０）。次にプロセッサ（１０−５）はＰＳＴＮ−ＩＦ制御部（
１０−１０）を介して、交換機（２０）に応答信号を送信し（１００９）、ＩＰ−ＩＦ２
（１０−６）を介して保留通知をＳＩＰサーバ（３０）に送信する（１０１１）。ＳＩＰ
サーバ（３０）は保留通知をメディアゲートウェイ２（１１）に転送し（１０１２）、メ
ディアゲートウェイ２では保留通知をＩＰ−ＩＦ２（１０−６）を介してプロセッサ（１
０−５）が受信すると、プロセッサ（１０−５）は加入者ＩＦ制御部（１０−９）を介し
て加入者４（４）に保留音を送信する（１０１３）。交換機（２０）は応答信号を受信す
ると加入者７（７）に応答信号を送信する（１０１０）。以上で、加入者３（３）と加入
者４（４）間の通話は保留状態になり、加入者３（３）と加入者７（７）が通話中となる
。
【手続補正５】
【補正対象書類名】明細書
【補正対象項目名】００３２
【補正方法】変更
【補正の内容】
【００３２】
【図１】本発明を適用するネットワーク構成例。
【図２】本発明のメディアゲートウェイの構成例。
【図３】加入者テーブルの一例。
【図４】サービステーブルの一例。
【図５】収容する加入者から発呼信号を受信した場合のメディアゲートウェイの動作フロー。
【図６】図１において、加入者２から加入者７へ通話する場合の動作シーケンス。
【図７】図１において、加入者１から加入者４へ、サービスａを用いて通話する場合の動作シーケンス。
【図８】図１において、加入者１から加入者８へ、サービスｂを用いて通話する場合の動作シーケンス。
【図９】回線使用状況テーブルの一例。
【図１０】収容する加入者宛の接続要求／ＩＮＶＩＴＥを受信した場合のメディアゲートウェイの動作フロー。
【図１１】図１において、加入者７から加入者１へ通話する場合の動作シーケンス。
【図１２】図１において、コールウェイティングサービスに加入していない加入者２が加入者４と通話中であるとき、加入者７から着呼信号を受信した場合の動作シーケンス。
【図１３】図１において、コールウェイティングサービスに加入する加入者３が加入者４と通話中であるとき、加入者７から着呼信号を受信した場合の動作シーケンス。
【手続補正６】
【補正対象書類名】図面
【補正対象項目名】図８
【補正方法】変更
【補正の内容】
【図８】
2010130389.tif 000016